(57)【要約】【課題】弾性細長紐の長さを調整するための新たな部材を必要とせず、しかも弾性細長紐の長さを調整する部分が髪の毛に触れる箇所になく、さらに弾性細長紐の装着跡が目立つこともなく、頬や目元などの皺を化粧を施すことなく解消し矯正できる顔面皺伸ばし美容器具を提供する。【解決手段】弾性を有する細長な紐状の弾性細長紐２の両端側に、肌に直接貼り付けられる粘着シール３が貼り替え自在に貼り付けられるシールベース片４をそれぞれ設け、粘着シール３が貼り付けられる内面側４ａの裏面となる外面側４ｂのシールベース片４に、外面側４ｂで弾性細長紐２の端部側がループ状２ａに反転屈曲されそのループ状２ａの大きさを可変して弾性細長紐２の長さが調整自在になるループ状２ａの絞り側２ｂを、挿通させて止着して係止する弾性紐係止具５を設ける。【選択図】        図１
0003235536.tif 000002
【実用新案登録請求の範囲】
【請求項１】
弾性を有する細長な紐状の弾性細長紐の両端側に、肌に直接貼り付けられる粘着シールが貼り替え自在に貼り付けられるシールベース片をそれぞれ設け、粘着シールが貼り付けられる内面側の裏面となる外面側のシールベース片に、当該外面側で上記弾性細長紐の端部側がループ状に反転屈曲されそのループ状の大きさを可変して弾性細長紐の長さが調整自在になる上記ループ状の絞り側を、挿通させて止着して係止する弾性紐係止具を設けたことを特徴とする顔面皺伸ばし美容器具。
【請求項２】
弾性を有する細長な紐状の弾性細長紐の両端側に、肌に直接貼り付けられる粘着シールが貼り付けられるシールベース片をそれぞれ設け、各シールベース片を幅径が大きい先端寄り側と幅径が小さい後端寄り側からなる横長な丸み帯びた形状に形成し、シールベース片の幅径が大きい先端寄り側の内面側に上記粘着シールを貼り替え自在に貼り付け、シールベース片の幅径が小さい後端寄り側の外面側に上記弾性細長紐の反転屈曲されたループ状の絞り側を挿通させて止着して係止する弾性紐係止具を設けると共に、シールベース片の外面側で上記弾性細長紐の端部側がループ状に反転屈曲されるそのループ状の大きさを可変してループ状の絞り側を、上記弾性紐係止具を挿通させて当該弾性紐係止具により止着し係止して上記弾性細長紐の長さを調整自在にすることを特徴とする顔面皺伸ばし美容器具。
【考案の詳細な説明】
【技術分野】
【０００１】
この考案は、顔面の頬・目元などの皺を伸ばす顔面皺伸ばし美容器具に係り、特に、弾性紐の長さを調整するための新たな部材を必要とせず、しかも弾性紐の長さを調整する部分が髪の毛に触れる箇所になく、さらに弾性紐の装着跡が目立つこともない顔面皺伸ばし美容器具に関するものである。
【背景技術】
【０００２】
従来、化粧を施さなくても、顔面の頬や目元に生じた皺を目立たないようにする器具として、種々のものが考案されている。例えば実用新案登録第３０４３５１７号の「皺伸ばし具」にあっては、弾性を有するベルトの両端部に、粘着シート片を貼り付けるベース板をそれぞれ設けた構造からなっている。
【０００３】
そして、前記各ベース板に粘着シート片の一端部をそれぞれ貼り付け、これら粘着シートを皮膚に接着し、ベルトの弾性によりその長さ方向に引っ張ると、前記皮膚が引き伸ばされて皺を伸ばすことができる特徴を有している。
【０００４】
また、前記実用新案登録第３０４３５１７号の「皺伸ばし具」にあっては、図３に図示するように、ベルト１０１には、その長さ方向にスライドする８字形状のスライド部材１０３が設けられている。このスライド部材１０３は、ベルト１０１を二つに折り返した折り返し端部に縫着されており、ベルト１０１の長さ方向に適宜スライドさせ、前記折り返し部分の長さを違えることにより、ベルト１０１の長さを調整することが可能となっている。
【先行技術文献】
【特許文献】
【０００５】
【特許文献１】実用新案登録第３０４３５１７号
【考案の概要】
【考案が解決しようとする課題】
【０００６】
ところで、前記実用新案登録第３０４３５１７号の「皺伸ばし具」では、ベルト１０１の長さを調整することが可能になるように、ベルト１０１にはその長さ方向にスライドする８字形状のスライド部材１０３が設けられ、このスライド部材１０３はベルト１０１を二つに折り返した折り返し端部に縫着された構造になっているため、ベルト１０１の長さを調整するためのスライド部材１０３という新たな部材が必要であった。
【０００７】
また、ベルト１０１に新たに設けられたスライド部材１０３は、顔面の皮膚に粘着する粘着シート片から後方側のベルト１０１上に設けられるので、装着中にあっては髪の毛に触れる箇所になることがあり、これにより、このスライド部材１０３に装着中の髪の毛の一部が引っかかったり、髪の毛の一部が傷ついたり抜けたりし、又その痛さで不快な気分になることが考えられる。
【０００８】
さらに、皺を伸ばす機能を有する弾性のベルト１０１は、厚みに比べて幅のあるものが使用されている。このため、就寝時のように少し長めに装着し続けると、髪の表面部分に幅のあるベルト１０１の装着跡が残り、目立つことが考えられる。
【０００９】
その後に用事があるときには、髪に櫛を入れて幅のあるベルト１０１の装着跡が残らないように手入れが必要な場合も想定され、或いはベルト１０１の装着跡を目立たないようにするために、かつらをかぶって隠すことも考えられる。
【００１０】
この考案は、上記のような課題に鑑み、その課題を解決すべく創案されたものであって、その目的とするところは、弾性細長紐の長さを調整するための新たな部材を必要とせず、しかも弾性細長紐の長さを調整する部分が髪の毛に触れる箇所になく、その調整部分に髪の毛の一部が引っかかったり傷ついたり抜けたりするのを防いで、その痛さで不快な気分になることもなく、さらに弾性細長紐の装着跡が目立つこともなく、頬や目元などの皺を化粧を施すことなく解消し矯正できる顔面皺伸ばし美容器具を提供することにある。
【課題を解決するための手段】
【００１１】
以上の課題を達成するために、請求項１の考案は、弾性を有する細長な紐状の弾性細長紐の両端側に、肌に直接貼り付けられる粘着シールが貼り替え自在に貼り付けられるシールベース片をそれぞれ設け、粘着シールが貼り付けられる内面側の裏面となる外面側のシールベース片に、当該外面側で上記弾性細長紐の端部側がループ状に反転屈曲されそのループ状の大きさを可変して弾性細長紐の長さが調整自在になる上記ループ状の絞り側を、挿通させて止着して係止する弾性紐係止具を設けた手段よりなるものである。
【００１２】
また、請求項２の考案は、弾性を有する細長な紐状の弾性細長紐の両端側に、肌に直接貼り付けられる粘着シールが貼り付けられるシールベース片をそれぞれ設け、各シールベース片を幅径が大きい先端寄り側と幅径が小さい後端寄り側からなる横長な丸み帯びた形状に形成し、シールベース片の幅径が大きい先端寄り側の内面側に上記粘着シールを貼り替え自在に貼り付け、シールベース片の幅径が小さい後端寄り側の外面側に上記弾性細長紐の反転屈曲されたループ状の絞り側を挿通させて止着して係止する弾性紐係止具を設けると共に、シールベース片の外面側で上記弾性細長紐の端部側がループ状に反転屈曲されるそのループ状の大きさを可変してループ状の絞り側を、上記弾性紐係止具を挿通させて当該弾性紐係止具により止着し係止して上記弾性細長紐の長さを調整自在にする手段よりなるものである。
【考案の効果】
【００１３】
課題を解決するための手段よりなるこの考案に係る顔面皺伸ばし美容器具によれば、弾性細長紐の長さを調整する部分は、内面側に粘着シールを貼り付けるシールベース片の裏側の外面側に設けられた弾性紐調整係止具で兼用されるため、弾性細長紐の長さを調整するための新たな部材を必要とせず、その分、顔面皺伸ばし美容器具の部品の数を減らして、その構造を簡素化することができる。
【００１４】
しかも、弾性細長紐の長さを調整する部分を兼ねる弾性紐調整係止具は、内面側に粘着シールを貼り付けるベース片の裏側の外面側に設けられていて、使用時に髪の毛に触れる箇所にないので、その調整部分に髪の毛の一部が引っかかったり、髪の毛の一部が傷ついたり抜けたり、又その痛さで不快な気分になることもない。
【００１５】
さらに、顔面皺伸ばし美容器具を構成する弾性細長紐は、細長な紐状であるため、髪の毛の間にたやすく入り込んで、髪によって隠れやすくなって目立たないようにすることが容易で、髪の表面側から弾性細長紐の装着跡が目立つこともない。
【００１６】
また、請求項２のように、各シールベース片を幅径が大きい先端寄り側と幅径が小さい後端寄り側からなる横長な丸み帯びた形状に形成し、シールベース片の幅径が大きい先端寄り側の内面側に粘着シールを貼り付け、シールベース片の幅径が小さい後端寄り側の外面側に弾性細長紐の反転屈曲されたループ状の絞り側を挿通させて止着して係止する弾性紐係止具を設けた場合には、幅径が大きい先端寄り側に貼られた粘着シールを通じて頬や目元などの皺を引っ張る力は、幅径が小さい後端寄り側の弾性紐係止具に向けて集中されて、そこで弾性細長紐に伝達されるので、効率よく集中して強い力で皺を引き伸ばすことができる。
【００１７】
このように、この考案に係る顔面皺伸ばし美容器具は、頬や目元などの皺を化粧を施すことなく自宅で気軽に防いで矯正でき、また弾性細長紐を引き延ばした状態で装着することによって肌にはりができ、加えて、美顔効果もある等、極めて実用的有益なる効果を奏するものである。
【図面の簡単な説明】
【００１８】
【図１】（Ａ）はこの考案を実施するための形態を示す顔面皺伸ばし美容器具の正面図である。  （Ｂ）はこの考案を実施するための形態を示す顔面皺伸ばし美容器具の背面図である。
【図２】（Ａ）はこの考案を実施するための形態を示す顔面皺伸ばし美容器具の使用時の正面図である。  （Ｂ）はこの考案を実施するための形態を示す顔面皺伸ばし美容器具の使用時の側面図である。
【図３】（Ａ）（Ｂ）は従来説明図である。
【考案を実施するための形態】
【００１９】
以下、図面に記載の考案を実施するための形態に基づいて、この考案をより具体的に説明する。
【００２０】
図において、顔面皺伸ばし美容器具１は、弾性を有する細長な紐状の弾性細長紐２と、使用時肌側になる内面側４ａに粘着シール３が装着され弾性細長紐２の両端側にそれぞれ設けられるシールベース片４，４と、使用時肌側の内面側４ａの裏側になる各シールベース片４，４の外面側４ｂに設けられ弾性細長紐２の両端側がそれぞれ止着して係止される弾性紐調整係止具５とから構成されている。
【００２１】
そして、前記構成からなる顔面皺伸ばし美容器具１は、弾性細長紐２の長さを調整するための新たな部材を必要とせず、しかも弾性細長紐２の長さを調整する部分が髪の毛に触れる箇所になく、その調整部分に髪の毛の一部が引っかかったり傷ついたり抜けたりするのを防いで、その痛さで不快な気分になることもなく、さらに弾性細長紐２の装着跡が目立つこともなく、頬や目元などの皺を化粧を施すことなく解消し矯正できる特徴を有している。
【００２２】
前記弾性細長紐２は、弾性を有する細長な紐状のものからなり、例えばシリコンゴムが使用される。弾性細長紐２は、弾性により、引っ張ると紐の長さが伸び、力を取り除くと元の長さに縮んで戻る。弾性細長紐２は、この元の長さに縮もうとする復元力を利用して、皮膚が引き伸ばされて頬や目元などの皺を伸ばすのである。
【００２３】
また、弾性細長紐２は屈曲性があり、その両端側はループ状２ａに屈曲された状態で各シールベース片４，４の使用時肌側の内面側４ａの裏側になる外面側４ｂに取り付けられる。ループ状２ａの絞り側２ｂは、弾性紐調整係止具５の取り付け箇所で互いに密着している。弾性細長紐２の両端側のループ状２ａは、シールベース片４，４の輪郭からはみ出ないように取り付けられ、弾性細長紐２の両端側の頬や目元などに直接触れないようなっている。
【００２４】
弾性細長紐２として使用されるシリコンゴムは、例えば直径が２mm程度の円形断面を有した細い紐状のものからなり、使用時、髪の毛の間にたやすく入り込んで、髪によって隠れやすくなって目立たないようにすることが容易で、髪の表面側から弾性細長紐２の装着跡が目立つこともない。
【００２５】
弾性細長紐２は、使用時に、あまり目立たないように、例えば透明なものが使用される。或いは例えば皮膚に近い色が使用される。いずれにしても、目立たない色のものが使用されるが、利用者の好みとの関係で、これとは逆にファッション性の高い目立つ色のものが使用されることもある。
【００２６】
粘着シール３は、頬や目元の肌の皮膚表面に貼り付けられて粘着し、簡単には剥がれないもので、例えば薄い例えば円形のシールが使用される。粘着シール３は皮膚表面に直に貼り付けられて粘着するが、汗などによって次第に粘着力が弱まって肌の皮膚表面から剥がれ易くなるので、新たに使用する毎に、新しい粘着シール３に取り替えられる。
【００２７】
このため、粘着シール３はシールベース片４の内面側４ａに貼り替え自在に貼り付けられている。粘着シール３は、シールベース片４の幅径が大きい先端寄り側の内面側４ａの表面に貼り付けられている。円形の粘着シール３には、幅径が大きい先端寄り側の輪郭からはみ出ない大きさのものが使用される。粘着シール３は肌に直接触れるため、粘着シール３には肌にやさしい素材が使用され、例えば、紙、プラスチックフィルムなどが使用される。
【００２８】
シールベース片４，４は弾性細長紐２の両端側に設けられている。シールベース片４，４は前記の粘着シール３が貼り替え自在に貼り付けられる箇所である。各シールベース片４，４は、幅径が大きい先端寄り側と幅径が小さい後端寄り側からなる横長な丸み帯びた形状を有している。
【００２９】
横長な丸み帯びたシールベース片４，４は、その幅径が大きい部分の幅は例えば３０〜４０mm程度である。横長な丸み帯びたシールベース片４の横長さは例えば４０〜５０mm程度である。また、弾性細長紐２の両側にシールベース片４，４が取り付けられた顔面皺伸ばし美容器具１の全長は例えば４５０〜５００mm程度である。
【００３０】
弾性紐係止具５は、弾性細長紐２の端部側を各シールベース片４にそれぞれ止着して係止する機能を果たす。また弾性細長紐２の長さ調整する際にも利用される。弾性紐係止具５は横長な丸み帯びたシールベース片４，４の幅径が小さい後端寄り側の外面側４ｂつまり使用時肌側になる内面側４ａの裏面になる箇所に取り付けられている。
【００３１】
弾性紐係止具５は、弾性細長紐２の端部側の互いに密着するループ状２ａの絞り側２ｂを筒状に囲んで止着して係止する箇所である。弾性紐係止具５は例えば細い紐を二重にして筒状になっている。弾性紐係止具５の筒状内部を弾性細長紐２が端部側が一旦挿通する往路側と、挿通した端部側がその先で１８０度反転屈曲し、屈曲した先端側が反対方向から筒状の弾性紐係止具５の内部を挿通する復路側とが、弾性紐係止具５で互いに絞り側２ｂになって密着することで止着して係止される。
【００３２】
この弾性紐係止具５の内部を往復した弾性細長紐２の先端側は、弾性紐係止具５の筒状の内部に先に入っている弾性細長紐２の端部側の根元側と密着して絞り側２ｂになった状態で反対側から挿通する。挿通した弾性細長紐２の先端は、弾性紐係止具５からシールベース片４の幅径が小さい後端寄り側の外面側４ｂから外部に一部突出する。外部に突出する弾性細長紐２の先端は丸みを帯びていて、弾性紐係止具５の筒状の内部を挿通し易くなっている。
【００３３】
筒状の弾性紐係止具５の内径は、往復する２本の弾性細長紐２がどうにか挿通できる広さである。このため、弾性紐係止具５の内部を挿通する２本の弾性細長紐２の絞り側２ｂは、その内部で密着状態になるので、使用時に弾性細長紐２が引っ張られても、弾性細長紐２の両端側が各シールベース片４の弾性紐係止具５から簡単にずれることはなく、止着状態は維持される。
【００３４】
しかも弾性細長紐２の１８０度反転屈曲側は、円曲状態になっていて、弾性細長紐２の断面の外径の数倍の大きさがあるので、２本の弾性細長紐２がどうにか挿通できる広さの弾性紐係止具５の内径より大きく、弾性細長紐２の両端側が各シールベース片４の弾性紐係止具５から抜け出て外れることは全くない。
【００３５】
次に、上記考案を実施するための形態の構成に基づく顔面皺伸ばし美容器具の使用について以下説明する。
【００３６】
顔面皺伸ばし美容器具１を使用するに当たり、先ず、弾性細長紐２の両端側を各シールベース片４の弾性紐係止具５に取り付ける。弾性紐係止具５は使用時肌側の裏面となるシールベース片４の外面側４ｂに設けられている。弾性細長紐２の端部側を弾性紐係止具５の筒状内部を挿通させ、挿通した先端側を１８０度反転屈曲させて、反転屈曲した先端を既に挿通させていた側から弾性紐係止具５の筒状内部に再び挿通させる。
【００３７】
弾性細長紐２の先端を挿通させる弾性紐係止具５の筒状内部には、既に弾性細長紐２の一つが挿通しているので、既に挿通してもう一つの弾性細長紐２の脇を挿通させることになる。挿通した弾性細長紐２の絞り側２ｂは弾性紐係止具５の筒状内部で密着状態になり、弾性細長紐２はその絞り側２ｂがシールベース片４の弾性紐係止具５の内部で止着されて係止されることになる。
【００３８】
このとき、弾性細長紐２の１８０度反転屈曲させてループ状２ａにした部分が、幅径が大きい先端寄り側と幅径が小さい後端寄り側との間で横長な丸み帯びた形状のシールベース片４の輪郭からはみ出ないように注意する。弾性細長紐２をループ状２ａにした部分は、シールベース片４，４の外面側４ｂ，４ｂにそれぞれ形成されるため、使用時に髪の毛に触れる恐れは全くなく、髪の毛の一部が引っかかったり傷ついたり抜けたりすることがなく安全である。
【００３９】
また、両端側に各シールベース片４，４が取り付けられた弾性細長紐２の長さが、弾性細長紐２を適宜の強さで引っ張ったとき、シールベース片４，４の内面側４ａに貼り付けた粘着シール３がちょうど貼りたい箇所の頬や目元の位置にくるように、弾性細長紐２の長さを調整する。
【００４０】
弾性細長紐２の長さの調整は、横長な丸み帯びた形状のシールベース片４の外面側４ｂに形成されるループ状２ａの大きさで行う。弾性細長紐２の長さが少し足りない場合はループ状２ａの大きさを少し小さくして、左右のシールベース片４，４の弾性紐係止具５，５の間隔を少し長くして弾性細長紐２を長くする。反対に弾性細長紐２が少し長すぎた場合はループ状２ａを少し大きくして、左右のシールベース片４，４の弾性紐係止具５，５の間隔を少し短くして弾性細長紐２の長さを短くする。
【００４１】
また、弾性細長紐２の引っ張りが強すぎたり弱すぎたりしたい場合も、上記と同様に、ループ状２ａの大きさを変えることで弾性細長紐２の引っ張り力を調整する。例えば弾性細長紐２の引っ張り力を強くしたい場合には、弾性細長紐２の長さを短くする。反対に弾性細長紐２の引っ張り力を弱くしたい場合には、弾性細長紐２を少し長くする。
【００４２】
両端側のシールベース片４，４の間隔を弾性細長紐２の長さで調整した後、各シールベース片４，４の内面側４ａの幅径が大きい先端寄り側に、粘着シール３をそれぞれ貼り付けることにより、顔面皺伸ばし美容器具１は完成する。
【００４３】
顔面皺伸ばし美容器具１を使用する場合には、利用者の後頭部側に弾性細長紐２の中間側を押し当て、その両側のシールベース片４，４を長さ方向に手で少し引っ張った状態で、各シールベース片４，４の粘着シール３，３を皺を伸ばしたい頬や目元などにしっかりと押し当てる。
【００４４】
粘着シール３は粘着性があるので、頬や目元などの皮膚の表面に粘着する。粘着後は手を離すと、少し伸びた弾性細長紐２が元の長さに縮もうとして、頬や目元などの皺を引き伸ばすことになり、皺の改善を図ることになる。
【００４５】
なお、この考案は上記考案を実施するための形態に限定されるものではなく、この考案の精神を逸脱しない範囲で種々の改変をなし得ることは勿論である。
【符号の説明】
【００４６】
１    顔面皺伸ばし美容器具
２    弾性細長紐
２ａ  ループ状
２ｂ  絞り側
３    粘着シール
４    シールベース片
４ａ  内面側
４ｂ  外面側
５    弾性紐調整係止具
１０１  ベルト
１０３  スライド部材
【図１】
0003235536.tif 000003
【図２】
0003235536.tif 000004
【図３】
0003235536.tif 000005